【手続補正書】
【提出日】平成30年11月9日(2018.11.9)
【手続補正１】
【補正対象書類名】特許請求の範囲
【補正対象項目名】全文
【補正方法】変更
【補正の内容】
【特許請求の範囲】
【請求項１】
二次電池（２２）を含む急速充電システム（２０）であって、
互いに平行かつ離間した関係で延在する、アノード層（３２）およびカソード層（４６）を含む電極（３２，４６）の対と、
前記アノード層（３２）と前記カソード層（４６）との間に挟まれる膜（３８）と、
第一イオン（２４）を含み、前記膜（３８）を含浸して前記アノード層（３２）と前記カソード層（４６）との間の第一電圧（Ｖ１）と前記アノード層（３２）と前記カソード層（４６）との間の第一電流（Ｉ１）との積の関数として第一時間間隔（Ｔ１）にわたって印加される最大充電電力（ＰＭＡＸ）の印加に応じて前記膜（３８）を通って過剰なイオン移動を運ぶ、第一電解液（４４）と、
急速充電コンポジット（６０）とを備え、前記急速充電コンポジット（６０）は、正電荷を有する第三イオン（９４）を含みかつ負電荷を有する第四イオン（９６）を含む第二電解液（６４）を有し、隣接電極（３２，４６）となる前記電極（３２，４６）の一方と隣接して配置されかつ接触しており、遠隔電極（３２，４６）となる前記電極（３２，４６）の残りの一方は前記急速充電コンポジット（６０）から電気的に隔離され、前記最大充電電力（ＰＭＡＸ）よりも大きく、前記急速充電コンポジット（６０）と前記隣接電極（３２，４６）との間の第二電圧（Ｖ２）と前記急速充電コンポジット（６０）と前記隣接電極（３２，４６）との間の第二電流（Ｉ２）との積の関数であり、第二時間間隔（Ｔ２）にわたって印加される第二電力（ＰＦＣ）の印加に応じ、第三イオン（９４）および第四イオン（９６）を前記隣接電極（３２，４６）と前記急速充電コンポジット（６０）との間に移動させ、前記隣接電極（３２，４６）の電気化学ポテンシャルを変化させ、前記最大充電電力（ＰＭＡＸ）でまたは前記最大充電電力（ＰＭＡＸ）未満に曝されるとき、前記第一時間間隔（Ｔ１）よりも短い前記第二時間間隔（Ｔ２）で、前記二次電池（２２）が既定量の電気エネルギーを貯蔵することを可能にする、急速充電システム（２０）。
【請求項２】
既定量の電気エネルギーを貯蔵するための容量を有する二次電池（２２）を含む急速充電システム（２０）であって、
互いに平行かつ離間した関係で延在する、アノード層（３２）およびカソード層（４６）を含む電極（３２，４６）の対と、
前記アノード層（３２）と前記カソード層（４６）との間に挟まれる膜（３８）と、
第一イオン（２４）を含み、前記膜（３８）を含浸して前記アノード層（３２）と前記カソード層（４６）との間の第一電圧（Ｖ１）と前記アノード層（３２）と前記カソード層（４６）との間の第一電流（Ｉ１）との積の関数として、第一時間間隔（Ｔ１）にわたって印加される、最大充電電力（ＰＭＡＸ）の印加に応じて、前記膜（３８）を通って過剰なイオン移動を運ぶ第一電解液（４４）と、
急速充電コンポジット（６０）とを備え、前記急速充電コンポジット（６０）は、正電荷を有する第三イオン（９４）を含み、かつ負電荷を有する第四イオン（９６）を含む第二電解液（６４）に含浸されるセパレータ（６２）を含み、隣接電極（３２，４６）となる前記電極（３２，４６）の一方と隣接して配置されかつ接続しており、遠隔電極（３２，４６）となる前記電極（３２，４６）の残りの一方は前記急速充電コンポジット（６０）から電気的に隔離され、
前記隣接電極（３２，４６）は、前記第三イオン（９４）および前記第四イオン（９６）が前記隣接電極（３２，４６）内を貫通するために、前記第三イオン（９４）および前記第四イオン（９６）に対して浸透性があり、
前記急速充電コンポジット（６０）は、前記セパレータ（６２）に隣接して配置されかつ前記セパレータ（６２）に平行な急速充電層（３０）を含み、前記セパレータ（６２）は、前記隣接電極（３２，４６）と前記急速充電層（３０）との間に挟まれ、前記隣接電極（３２，４６）から前記急速充電層（３０）を電気的に隔離し、前記隣接電極（３２，４６）で前記セパレータ（６２）を通って前記第三イオン（９４）および前記第四イオン（９６）を交換するためのものであり、
前記急速充電コンポジット（６０）は、前記最大充電電力（ＰＭＡＸ）よりも大きく、急速充電リード（６８）と前記隣接電極（３２，４６）の電池リード（３４，５０）との間の第二電圧（Ｖ２）と前記急速充電リード（６８）と前記電池リード（３４，５０）との間の第二電流（Ｉ２）との積の関数であり、第二時間間隔（Ｔ２）にわたって印加される、第二電力（ＰＦＣ）の印加のために、前記急速充電層（３０）に電気的に接続される電気伝導性材料の急速充電リード（６８）と、前記第三イオン（９４）および前記第四イオン（９６）を前記隣接電極（３２，４６）と前記急速充電層（３０）との間に移動させ、前記隣接電極（３２，４６）の電気化学的なポテンシャルを変化させ、前記最大充電電力（ＰＭＡＸ）でまたは前記最大充電電力（ＰＭＡＸ）未満に曝されるとき、前記第一時間間隔（Ｔ１）よりも短い前記第二時間間隔（Ｔ２）で、前記二次電池（２２）が既定量の電気エネルギーを貯蔵することを可能にする、急速充電システム（２０）。
【請求項３】
前記隣接電極（３２，４６）は前記カソード層（４６）である、請求項２に記載の急速充電システム（２０）。
【請求項４】
前記隣接電極（３２，４６）は前記アノード層（３２）である、請求項２に記載の急速充電システム（２０）。
【請求項５】
前記急速充電層（３０）は熱膨張されたグラファイトを備える、請求項２に記載の前記急速充電システム（２０）。
【請求項６】
既定量の電気エネルギーを貯蔵するための容量を有する二次電池（２２）を含む急速充電システム（２０）であって、
互いに平行かつ離間した関係で延在するアノード層（３２）およびカソード層（４６）を含む電極（３２，４６）の対を備え、
前記アノード層（３２）は、９９．４〜９９．９重量％の純度９９．９５％の固体のアルミニウムと０．１〜０．６重量％のインジウムとからなり、１．２ｃｍの第一長さおよび１．７ｃｍの第一幅および０．１ｍｍの第一厚さを規定する第一矩形縁を有し、前記急速充電システム（２０）はさらに、
外部回路に電流を伝導するための、前記アノード層（３２）に電気的に接触する電気伝導性材料の負極電池リード（３４）と、
前記アノード層（３２）を前記負極電池リード（３４）に取り付けるための、および前記アノード層（３２）と前記負極電池リード（３４）との間に電流を伝導するための、金属を包含し前記アノード層（３２）と前記負極電池リード（３４）との間に配置される粒子（９２）を含むセメント（３６）とを備え、
前記カソード層（４６）は、１．４ｃｍの第二長さおよび１．９ｃｍの第二幅および０．１ｍｍの第二厚さを規定する第二矩形縁を有し、
前記カソード層（４６）は、セルロースのキャリアシート（４８）と、前記アノード層（３２）に面する前記キャリアシート（４８）と統合され、かつ前記キャリアシート（４８）上の電気活性層（２８）とを含み、前記急速充電システム（２０）はさらに、
外部回路に電流を伝導するための、前記カソード層（４６）の前記電気活性層（２８）に電気的に接触する熱膨張されたグラファイトを含む正極電池リード（５０）と、
前記電気活性層（２８）を前記正極電池リード（５０）に取り付けるための、および前記電気活性層（２８）と前記正極電池リード（５０）との間の電流を伝導するための、前記電気活性層（２８）と前記正極電池リード（５０）との間に配置されるグラファイトを包含する接着剤（５２）と、
０．０８ｍｍの第三厚さを有し、複数の孔（４２）を規定し、前記アノード層（３２）と前記カソード層（４６）との間に挟まれ、前記アノード層（３２）と前記カソード層（４６）との間に電気絶縁体を提供して、前記アノード層（３２）と前記カソード層（４６）との間に第一電圧（Ｖ１）を規定するための、セルロースの膜（３８）と、
アルミニウムを包含し正電荷を有する第一イオン（２４）を含み、アルミニウムを包含し負電荷を有する第二イオン（２６）を含み、前記膜（３８）の前記孔（４２）を含浸し、既定の最大電流（ＩＭＡＸ）よりも大きな前記正極電池リード（５０）と前記負極電池リード（３４）との間の第一電流（Ｉ１）の印加に応じて前記膜（３８）を通して過剰のイオン移動を運び、既定の最大電圧（ＶＭＡＸ）を超える前記第一電圧（Ｖ１）および前記最大電流（ＩＭＡＸ）を超える前記第一電流（Ｉ１）の一方を用いて、第一電圧（Ｖ１）と前記第一電流（Ｉ１）との積として、第一時間間隔（Ｔ１）にわたって印加されて前記二次電池（２２）にダメージを与える、最大充電電力（ＰＭＡＸ）を規定する、第一電解液（４４）とを備え、
前記第一電解液（４４）は、基本的に、前記アノード層（３２）と前記カソード層（４６）との間で移動し、前記アノード層（３２）および前記カソード層（４６）と反応して二次電池（２２）を充電および放電するための、グリセロールと、［Ａｌ（ＣｌＯ4）2・｛Ｃ3Ｈ5（ＯＨ3）｝2］+を含むアルミニウムを含む前記第一イオン（２４）と、［Ａｌ（ＣｌＯ4）4］-を含むアルミニウムを含む前記第二イオン（２６）とを含み、
前記カソード層（４６）の前記電気活性層（２８）は、非局在化π電子を有する共役系を有し空間（５６）を規定するホスト格子（５４）と、前記ホスト格子（５４）の前記共役系に結合され前記空間（５６）にインカレートされる、アルミニウムアルコラートとアルミニウムグリセラートとを包含し、前記カソード層（４６）の前記電気活性層（２８）の電気化学特性を変化させ、前記二次電池（２２）を充電および放電するために前記第一イオン（２４）および前記第二イオン（２６）との反応速度を増大させるドーパント（５８）とを含み、前記急速充電システム（２０）はさらに、
急速充電コンポジット（６０）によって特徴付けられ、前記急速充電コンポジット（６０）は、前記第一矩形縁と前記第二矩形縁との間の第三矩形縁を有し、電気絶縁体を提供するためのセルロースのセパレータ（６２）を含み、アルミニウムを包含し正電荷を有する第三イオン（９４）を含み、かつアルミニウムを包含し負電荷を有する第四イオン（９６）を含む第二電解液（６４）で含浸され、隣接電極（３２，４６）となる前記電極（３２，４６）の一方と平行に配置されかつ隣接電極（３２，４６）となる前記電極（３２，４６）の一方と接触し、遠隔電極（３２，４６）となる前記電極（３２，４６）の残りの一方は前記急速充電コンポジット（６０）から電気的に隔離され、
前記隣接電極（３２，４６）は、前記第三イオン（９４）および前記第四イオン（９６）に対する透過性があり、前記隣接電極（３２，４６）内で前記第三イオン（９４）および前記第四イオン（９６）を吸収し、前記第三イオン（９４）および前記第四イオン（９６）と反応し、
前記急速充電コンポジット（６０）は、前記セパレータ（６２）と隣接して配置されかつ平行な熱膨張されたグラファイトの箔（６６）を備える急速充電層（３０）を含み、前記セパレータ（６２）は、前記隣接電極（３２，４６）と前記急速充電層（３０）との間に挟まれ、前記隣接電極（３２，４６）から前記急速充電層（３０）を電気的に隔離し、
前記急速充電コンポジット（６０）は、第二電力（ＰＦＣ）の印加のために、前記急速充電層（３０）に電気的に接続される電気伝導性材料の急速充電リード（６８）を含み、前記第二電力（ＰＦＣ）は、前記最大充電電力（ＰＭＡＸ）よりも大きく、前記急速充電リード（６８）と前記隣接電極（３２，４６）の前記電池リード（３４，５０）との間の第二電圧（Ｖ２）と前記急速充電リード（６８）と前記隣接電極（３２，４６）の前記電池リード（３４，５０）との間の第二電流（Ｉ２）との積の関数であり、第二時間間隔（Ｔ２）にわたって印加され、前記第三イオン（９４）および第四イオン（９６）を前記隣接電極（３２，４６）と前記急速充電層（３０）との間を前記セパレータ（６２）を通して移動させ、前記隣接電極（３２，４６）の電気化学ポテンシャルを変化させ、前記最大充電電力（ＰＭＡＸ）でおよび前記最大充電電力（ＰＭＡＸ）未満に曝されるときに前記第一時間間隔（Ｔ１）よりも短い前記第二時間間隔（Ｔ２）で前記二次電池に前記既定量の電気エネルギーを貯蔵させることを可能にする、急速充電システム（２０）。
【請求項７】
前記隣接電極（３２，４６）は前記カソード層（４６）であり、前記アノード層（３２）は前記急速充電層（３０）から電気的に隔離される、請求項６に記載の急速充電システム（２０）。
【請求項８】
前記隣接電極（３２，４６）は前記アノード層（３２）であり、前記カソード層（４６）は前記急速充電層（３０）から電気的に隔離される、請求項６に記載の急速充電システム（２０）。
【請求項９】
前記粒子（９２）は、銀を含む前記セメント（３６）の金属を包含する、請求項６に記載の急速充電システム（２０）。
【請求項１０】
前記粒子（９２）は、アルミニウムを含む前記セメント（３６）の金属を包含する、請求項６に記載の急速充電システム（２０）。
【請求項１１】
アノード層（３２）およびカソード層（４６）を有する二次電池（２２）と組み合わされる急速充電コンポジット（６０）を構成するための方法であって、
隣接電極（３２，４６）となる前記アノード層（３２）および前記カソード層（４６）の一方の上の、かつ、前記アノード層（３２）および前記カソード層（４６）の一方に平行な電気絶縁性材料のセパレータ（６２）を積み重ねることと、
前記セパレータ（６２）上の、かつ、前記セパレータ（６２）に平行な熱膨張されたグラファイトの急速充電層（３０）を積み重ねることとを備え、前記セパレータ（６２）は、前記隣接電極（３２，４６）と前記急速充電層（３０）との間に配置され、前記方法はさらに、
エタノールにＡｌＣｌ3を溶解させてバックグラウンド溶液（７８）を製造することと、
前記バックグラウンド溶液（７８）をグリセロールに混合して正電荷を有する第三イオン（９４）を含み、負電荷を有する第四イオン（９６）を含む第二電解液（６４）を製造することと、
前記第二電解液（６４）で前記セパレータ（６２）を濡らすこととを特徴とする、方法。
【請求項１２】
アノード層（３２）およびカソード層（４６）を有する二次電池（２２）と組み合わされる急速充電コンポジット（６０）を構成するための方法であって、
隣接電極（３２，４６）となる前記アノード層（３２）および前記カソード層（４６）の一方の上の、かつ、前記アノード層（３２）および前記カソード層（４６）の一方と平行な電気的絶縁材料のセパレータ（６２）を積み重ねることと、
前記セパレータ（６２）上の、かつ、前記セパレータ（６２）に平行な熱膨張されたグラファイトの急速充電層（３０）を積み重ねることとを備え、前記セパレータ（６２）は、前記隣接電極（３２，４６）と前記急速充電層（３０）との間に配置され、前記方法はさらに、
グラファイト塗料の接着剤（５２）で前記急速充電層（３０）に電気的に接触する急速充電リード（６８）を取り付けることを備え、前記方法はさらに、
エタノールにＡｌＣｌ3粉末を飽和状態まで溶解させてバックグラウンド溶液（７８）を生成することと、
４０重量％の前記バックグラウンド溶液（７８）を６０重量％のグリセロールと混合して二成分溶媒（８０）を作ることと、
１ｃｍ３の９９．４〜９９．９重量％の純度９９．９５％のアルミニウムおよび０．１から０．６重量％のインジウムをすりおろして２０〜３０ｃｍ３の等価表面積を有するやすり屑（８２）を作ることと、
前記やすり屑（８２）が溶解されるまで、１５０〜２００ｍｌの二成分溶媒（８０）に前記やすり屑（８２）を浸してアルミニウムを包含し正電荷を有する第三イオン（９４）およびアルミニウムを包含し負電荷を有する第四イオン（９６）を含む第二電解液（６４）を製造することと、
前記第二電解液（６４）で前記セパレータ（６２）を濡らすこととを特徴とする、方法。